(57)【要約】【課題】使用済み電子写真感光体とそれに取り付けられたフランジを再使用するため、電子写真感光体に取り付けられたフランジを感光体本体から破壊することなく、手軽に安価で安全に取り外す方法を提案すること。【解決手段】円筒状の金属製基体からなる電子写真感光体の両端部に樹脂製フランジが接着或いは圧入またはその組み合わせによって取り付けられた電子写真感光体のフランジ取り外し方法において、該フランジまたは電子写真感光体とフランジの接触部分近傍に低温圧縮空気を吹き付けることにより冷却して、該フランジを電子写真感光体から取り外すことを特徴とする電子写真感光体のフランジ取り外し方法。【選択図】        図１
2004219599.tif 000002
【特許請求の範囲】
【請求項１】
円筒状の金属製基体からなる電子写真感光体の両端部に樹脂製フランジが接着或いは圧入またはその組み合わせによって取り付けられた電子写真感光体のフランジ取り外し方法において、該フランジまたは電子写真感光体とフランジの接触部分近傍に低温圧縮空気を吹き付けることにより冷却して、該フランジを電子写真感光体から取り外すことを特徴とする電子写真感光体のフランジ取り外し方法。
【請求項２】
前記フランジまたは電子写真感光体とフランジの接触部分近傍に吹き付ける低温圧縮空気が、圧縮空気を圧縮空気冷却制御装置を通過させることにより製造したものであることを特徴とする請求項１に記載の電子写真感光体のフランジ取り外し方法。
【請求項３】
前記フランジまたは電子写真感光体とフランジの接触部分近傍に吹き付ける低温圧縮空気が、圧縮空気をボルテックス原理を応用した超低温空気発生装置を通過させることにより製造したものであることを特徴とする請求項１に記載の電子写真感光体のフランジ取り外し方法。
【請求項４】
前記フランジまたは電子写真感光体とフランジの接触部分近傍に吹き付ける低温圧縮空気が、圧縮空気を圧縮空気冷却制御装置を通過させた後、ボルテックス原理を応用した超低温空気発生装置を連続して通過させることにより製造したものであることを特徴とする請求項１に記載の電子写真感光体のフランジ取り外し方法。
【請求項５】
前記フランジまたは電子写真感光体とフランジの接触部分近傍に低温圧縮空気を吹き付ける手段として、電子写真感光体の少なくともフランジが付された部分を包納し得る大きさの内径を有する円筒状スリーブが使用され、該円筒状スリーブは、低温圧縮空気管の端部から円錐状に拡大する円錐状部を介して該低温圧縮空気管の端部に接合しており、また開口部内には、前記フランジまたは電子写真感光体とフランジの接触部分近傍に優先的に低温圧縮空気を吹き付けるための低温圧縮空気吹出口が内壁に沿って設けられたものであることを特徴とする請求項１に記載の電子写真感光体のフランジ取り外し方法。
【請求項６】
前記フランジまたは電子写真感光体とフランジの接触部分近傍に優先的に低温圧縮空気を吹き付ける低温圧縮空気吹出口は、低温圧縮空気吹出口の総面積Ｓと低温圧縮空気管の端部の低温圧縮空気入り口の総面積Ａの関係が、０．８Ａ≦Ｓ≦１．２Ａであることを特徴とする請求項５に記載の電子写真感光体のフランジ取り外し方法。
【請求項７】
前記低温圧縮空気吹出口と少なくとも電子写真感光体またはフランジの一部を接触させながら低温圧縮空気を吹き付けることを特徴とする請求項５に記載の電子写真感光体のフランジ取り外し方法。
【請求項８】
前記低温圧縮空気吹出口の円筒部の中心線と電子写真感光体の円筒部の中心線が同一上にあることを特徴とする請求項５に記載の電子写真感光体のフランジ取り外し方法。
【請求項９】
低温圧縮空気の通過経路に断熱処理が施されていることを特徴とする請求項１に記載の電子写真感光体のフランジ取り外し方法。
【請求項１０】
前記請求項１乃至９のいずれかに記載のフランジ取り外し方法で分割した電子写真感光体およびフランジの少なくても一方を再使用することを特徴とする記載の電子写真感光体の再生方法。
【請求項１１】
円筒状の金属製基体からなる電子写真感光体の両端部に樹脂製フランジが接着或いは圧入またはその組み合わせによって取り付けられた電子写真感光体のフランジ取り外し装置において、該フランジまたは電子写真感光体とフランジの接触部分近傍を冷却する低温圧縮空気吹き付け部を有することを特徴とする電子写真感光体のフランジ取り外し装置。
【請求項１２】
前記フランジまたは電子写真感光体とフランジの接触部分近傍を冷却する低温圧縮空気吹き付け部が、圧縮空気冷却制御装置を有することを特徴とする請求項１１に記載の電子写真感光体のフランジ取り外し装置。
【請求項１３】
前記フランジまたは電子写真感光体とフランジの接触部分近傍を冷却する低温圧縮空気吹き付け部が、ボルテックス原理を応用した超低温空気発生装置を有することを特徴とする請求項１１に記載の電子写真感光体のフランジ取り外し装置。
【請求項１４】
前記フランジまたは電子写真感光体とフランジの接触部分近傍を冷却する低温圧縮空気吹き付け部が、圧縮空気冷却制御装置とボルテックス原理を応用した超低温空気発生装置の両方を有することを特徴とする請求項１１に記載の電子写真感光体のフランジ取り外し装置。
【請求項１５】
前記フランジまたは電子写真感光体とフランジの接触部分近傍を冷却する低温圧縮空気吹き付け部が、電子写真感光体の少なくともフランジが付された部分を包納し得る大きさの内径を有する円筒状スリーブを有し、該円筒状スリーブは、低温圧縮空気管の端部から円錐状に拡大する円錐状部を介して該低温圧縮空気管の端部に接合しており、また開口部内には、前記フランジまたは電子写真感光体とフランジの接触部分近傍に優先的に低温圧縮空気を吹き付けるための低温圧縮空気吹出口が内壁に沿って設けられたものであることを特徴とする請求項１１に記載の電子写真感光体のフランジ取り外し装置。
【請求項１６】
前記フランジまたは電子写真感光体とフランジの接触部分近傍に低温圧縮空気を吹き付ける低温圧縮空気吹き付け部の低温圧縮空気の吹き出し口の総面積Ｓと低温圧縮空気管の端部の低温圧縮空気入り口の総面積Ａの関係が、０．８Ａ≦Ｓ≦１．２Ａであるノズルを有することを特徴とする請求項１１に電子写真感光体のフランジ取り外し装置。
【請求項１７】
断熱処理が施された低温圧縮空気の通過配管を有することを特徴とする請求項１１に記載の電子写真感光体のフランジ取り外し装置。
【請求項１８】
前記請求項１１乃至１７のいずれかに記載のフランジ取り外し装置で分割した電子写真感光体およびフランジの少なくても一方を再使用することを特徴とする電子写真感光体の再生方法。
【発明の詳細な説明】
【０００１】
【発明の属する技術分野】
本発明は、複写機、プリンター、ファクシミリ等の電子写真感光体製造分野に関し、物体を冷却することを必要とする分野に応用される。
【０００２】
【従来の技術】
電子写真感光体に取り付けけられたフランジを取り外す方法としては、フランジを予め冷却した後、ドラム基体に嵌合させることを特徴とする感光体であり、該感光体を製造する方法もフランジを温度−７０℃以下の液状冷媒と接触させることが提案されているが（例えば、特許文献１参照。）、本発明は、円筒状の金属製基体からなる電子写真感光体の両端部に樹脂製フランジが接着或いは圧入またはその組み合わせによって取り付けられた電子写真感光体であり、該感光体を製造する方法もフランジまたは電子写真感光体とフランジの接触部分近傍に低温圧縮空気を吹き付けることにより冷却する技術のため異なる。
【０００３】
また、感光体内部に充填体が接着されてなる感光体で、感光ドラムの充填体との接触部分近傍を急激に冷却することが提案されているが（例えば、特許文献２参照。）、本発明は感光体内部に充填体が接着されてなる感光体ではなく、フランジまたは電子写真感光体とフランジの接触部分近傍に低温圧縮空気を吹き付けることにより冷却する方法であるので異なる。
例えば、前述特許文献１及び２に記載されている温度−７０℃以下の液状冷媒は非常に高価で、液状冷媒は熱容量が大きいので取り扱いや保管が難しく、冷媒の種類によっては取り扱いに資格が必要となり作業者が限定され、手軽に安価で安全にを満たさない。また、フランジのような樹脂部品または樹脂に金属が組み込まれた部品は温度−７０℃以下の液状冷媒で冷却すると、急激な温度変化に追随できずに破損する恐れがある。
【０００４】
【特許文献１】
特開平１０−１４３０１１号公報（第２頁第１欄第２行目〜第１０行目の請求項１、２）
【特許文献２】
特開平１０−１１５９３８号公報（第２頁第１欄第１行目〜第１６行目の特許請求の範囲）
【０００５】
【発明が解決しようとする課題】
本発明は、使用済み電子写真感光体とそれに取り付けられたフランジを再使用するため、電子写真感光体に取り付けられたフランジを感光体本体から破壊することなく、手軽に安価で安全に取り外す方法を提案することである。
【０００６】
【課題を解決するための手段】
上記課題は、本発明の（１）「円筒状の金属製基体からなる電子写真感光体の両端部に樹脂製フランジが接着或いは圧入またはその組み合わせによって取り付けられた電子写真感光体のフランジ取り外し方法において、該フランジまたは電子写真感光体とフランジの接触部分近傍に低温圧縮空気を吹き付けることにより冷却して、該フランジを電子写真感光体から取り外すことを特徴とする電子写真感光体のフランジ取り外し方法」、（２）「前記フランジまたは電子写真感光体とフランジの接触部分近傍に吹き付ける低温圧縮空気が、圧縮空気を圧縮空気冷却制御装置を通過させることにより製造したものであることを特徴とする前記第（１）項に記載の電子写真感光体のフランジ取り外し方法」、（３）「前記フランジまたは電子写真感光体とフランジの接触部分近傍に吹き付ける低温圧縮空気が、圧縮空気をボルテックス原理を応用した超低温空気発生装置を通過させることにより製造したものであることを特徴とする前記第（１）項に記載の電子写真感光体のフランジ取り外し方法」、（４）「前記フランジまたは電子写真感光体とフランジの接触部分近傍に吹き付ける低温圧縮空気が、圧縮空気を圧縮空気冷却制御装置を通過させた後、ボルテックス原理を応用した超低温空気発生装置を連続して通過させることにより製造したものであることを特徴とする前記第（１）項に記載の電子写真感光体のフランジ取り外し方法」、（５）「前記フランジまたは電子写真感光体とフランジの接触部分近傍に低温圧縮空気を吹き付ける手段として、電子写真感光体の少なくともフランジが付された部分を包納し得る大きさの内径を有する円筒状スリーブが使用され、該円筒状スリーブは、低温圧縮空気管の端部から円錐状に拡大する円錐状部を介して該低温圧縮空気管の端部に接合しており、また開口部内には、前記フランジまたは電子写真感光体とフランジの接触部分近傍に優先的に低温圧縮空気を吹き付けるための低温圧縮空気吹出口が内壁に沿って設けられたものであることを特徴とする前記第（１）項に記載の電子写真感光体のフランジ取り外し方法」、（６）「前記フランジまたは電子写真感光体とフランジの接触部分近傍に優先的に低温圧縮空気を吹き付ける低温圧縮空気吹出口は、低温圧縮空気吹出口の総面積Ｓと低温圧縮空気管の端部の低温圧縮空気入り口の総面積Ａの関係が、０．８Ａ≦Ｓ≦１．２Ａであることを特徴とする前記第（５）項に記載の電子写真感光体のフランジ取り外し方法」、（７）「前記低温圧縮空気吹出口と少なくとも電子写真感光体またはフランジの一部を接触させながら低温圧縮空気を吹き付けることを特徴とする前記第（５）項に記載の電子写真感光体のフランジ取り外し方法」、（８）「前記低温圧縮空気吹出口の円筒部の中心線と電子写真感光体の円筒部の中心線が同一上にあることを特徴とする前記第（５）項に記載の電子写真感光体のフランジ取り外し方法」、（９）「低温圧縮空気の通過経路に断熱処理が施されていることを特徴とする前記第（１）項に記載の電子写真感光体のフランジ取り外し方法」、（１０）「前記第（１）項乃至第（９）項のいずれかに記載のフランジ取り外し方法で分割した電子写真感光体およびフランジの少なくても一方を再使用することを特徴とする記載の電子写真感光体の再生方法」によって解決される。
また、上記課題は、本発明の（１１）「円筒状の金属製基体からなる電子写真感光体の両端部に樹脂製フランジが接着或いは圧入またはその組み合わせによって取り付けられた電子写真感光体のフランジ取り外し装置において、該フランジまたは電子写真感光体とフランジの接触部分近傍を冷却する低温圧縮空気吹き付け部を有することを特徴とする電子写真感光体のフランジ取り外し装置」、（１２）「前記フランジまたは電子写真感光体とフランジの接触部分近傍を冷却する低温圧縮空気吹き付け部が、圧縮空気冷却制御装置を有することを特徴とする前記第（１１）項に記載の電子写真感光体のフランジ取り外し装置」、（１３）「前記フランジまたは電子写真感光体とフランジの接触部分近傍を冷却する低温圧縮空気吹き付け部が、ボルテックス原理を応用した超低温空気発生装置を有することを特徴とする前記第（１１）項に記載の電子写真感光体のフランジ取り外し装置」、（１４）「前記フランジまたは電子写真感光体とフランジの接触部分近傍を冷却する低温圧縮空気吹き付け部が、圧縮空気冷却制御装置とボルテックス原理を応用した超低温空気発生装置の両方を有することを特徴とする前記第（１１）項に記載の電子写真感光体のフランジ取り外し装置」、（１５）「前記フランジまたは電子写真感光体とフランジの接触部分近傍を冷却する低温圧縮空気吹き付け部が、電子写真感光体の少なくともフランジが付された部分を包納し得る大きさの内径を有する円筒状スリーブを有し、該円筒状スリーブは、低温圧縮空気管の端部から円錐状に拡大する円錐状部を介して該低温圧縮空気管の端部に接合しており、また開口部内には、前記フランジまたは電子写真感光体とフランジの接触部分近傍に優先的に低温圧縮空気を吹き付けるための低温圧縮空気吹出口が内壁に沿って設けられたものであることを特徴とする前記第（１１）項に記載の電子写真感光体のフランジ取り外し装置」、（１６）「前記フランジまたは電子写真感光体とフランジの接触部分近傍に低温圧縮空気を吹き付ける低温圧縮空気吹き付け部の低温圧縮空気の吹き出し口の総面積Ｓと低温圧縮空気管の端部の低温圧縮空気入り口の総面積Ａの関係が、０．８Ａ≦Ｓ≦１．２Ａであるノズルを有することを特徴とする前記第（１１）項に記載の電子写真感光体のフランジ取り外し装置」、（１７）「断熱処理が施された低温圧縮空気の通過配管を有することを特徴とする前記第（１１）項に記載の電子写真感光体のフランジ取り外し装置」、（１８）「前記第（１１）項乃至第（１７）項のいずれかに記載のフランジ取り外し装置で分割した電子写真感光体およびフランジの少なくても一方を再使用することを特徴とする電子写真感光体の再生方法」によって解決される。
【０００７】
前記第（１）項および第（１１）項の目的及び構成としては、円筒状の金属製基体からなる電子写真感光体の両端部に樹脂製フランジが接着或いは圧入またはその組み合わせによって取り付けられた電子写真感光体において、フランジまたは電子写真感光体とフランジの接触部分近傍に低温圧縮空気を吹き付けて冷却することにより、接着剤を剥がし、金属製基体と樹脂製フランジの熱収縮率の差で嵌合部に隙間を生じさせて、該フランジを電子写真感光体から取り外すことである。
【０００８】
金属材料、樹脂材料共に、高温では膨張し低温では収縮するが、膨張収縮の温度依存性は樹脂材料の方が金属材料よりもはるかに大きい。例えば熱膨張係数（単位；１０−６／℃）は、金属の場合、ステンレス鋼（ＡＩＳＩ  ３２１）では１６．５、普通純度（９９．５％）アルミニウムでは２３．５〜２５．６、高純度（９９．９９６％）アルミニウムでは２４．６〜２５．４、アルミニウム合金７０７５−Ｔ６では２６、チタンでは９．０、ジルコニウムでは５．８、マグネシウム合金ＡＺ３１Ｘでは２３．６であるのに対し、樹脂材料の場合、ＡＢＳ樹脂では８０〜１１０、ポリアセタールホモポリマーでは５０〜１１２、ポリアセタールコーポリマーでは６１〜１１０、メタクリレートでは５０〜９０、セルロースアセテートでは８０〜１８０、フッ素樹脂のＰＴＦＥでは７０〜１２０、ＰＦＡでは１４０〜２１０、ＰＶＤＦでは７０〜１４２、アイオノマー樹脂では１００〜１７０、ナイロン系のＰＡ６では８０〜８３、ＰＡ６６では８０、ＰＡ１１では１００、ＰＡ１２では６１〜１００、ポリブチレンでは１２８〜１５０、ポリカーボネートでは６８、ポリエステル系のＰＢＴでは６０〜９５、ＰＥＴでは６５、ポリエチレン（ＬＤＰＥ）では１００〜１２０、ＨＤＰＥでは５０〜１１０、ＵＨＭＷＰＥでは１３０〜２００、ポリプロピレンホモポリマーでは５０〜８３、ポリプロピレンコーポリマーでは６８〜９５、ポリスチレンでは５０〜８８、ＰＶＣでは７０〜２５０、ポリエーテルスルホンでは５５、熱硬化性樹脂でもエポキシ樹脂では４５〜５５、フエノール樹脂では６８、ポリウレタンでは１００〜２００である。
前記第（２）項乃至第（４）項及び前記第（１２）項乃至第（１４）項の構成としては、電子写真感光体からフランジを取り外す方法に用いる低温圧縮空気の製造法の１つを示したのもである。
前記第（５）項及び第（１５）項の構成としては、電子写真感光体からフランジを取り外す方法で、低温圧縮空気をフランジまたは電子写真感光体とフランジの接触部分近傍に効果的に吹き付ける手段を示したことである。
前記第（６）項及び第（１６）項の構成としては、電子写真感光体からフランジを取り外す方法で、低温圧縮空気を効果的に吹き付ける手段である低温圧縮空気吹出口例えばノズルやスリットの冷却効果が高い低温圧縮空気の入り口総面積と吹き出し口総面積の関係を示したことである。
前記第（７）項及び第（８）項の構成としては、電子写真感光体からフランジを取り外す方法で、低温圧縮空気を効果的に吹き付ける手段である低温圧縮空気吹出口例えばノズルやスリットと電子写真感光体またはフランジの効果的な位置関係を示したものである。
前記第（９）項及び第（１７）項の構成としては、電子写真感光体からフランジを取り外す方法で、吹き付ける低温圧縮空気の温度上昇を防ぐ方法を示したものである。
前記第（１０）項及び第（１８）項の構成としては、電子写真感光体からフランジを取り外す方法で分割された電子写真感光体とフランジの有効活用法を示したものである。
【０００９】
図３は、ボルテックス原理による超低温空気発生装置の一例としてのコールドエアガンの構成を示すものである。
コールドエアガンは、ボルテックス理論に基づく局部冷却用の小型クーラで、圧縮空気を供給し、管内で強制高速旋回流を生み出すことによって、低温空気流および高温空気流をつくりだす装置である。
この装置には可動部がまったくなく、低温空気流の温度を広範囲に調整するこが可能で、連続的に冷風を得ることができるため、切削加工、研削加工における工具および工作物の冷却装置として使用される。
【００１０】
図３に示されるように、供給口から入った圧縮空気は、ゼネレータに設けられたノズルによって、渦流発生室（ボルテックス発生室）接線方向に音速で吐き出され、膨張するとともに高速渦流となって（Ｂ）の管内で回転しながら、末端にあるコントロール弁方向に移動する。このとき管内外側渦流に大きな遠心力が働いて圧力、密度が急上昇し、抵抗が増加して温度が上昇する（圧縮でよどみ点が高くなる）。
これをエネルギー的に見れば、渦の内側空気が外側に対して、減速による制動の仕事を行なうため、外側ではよどみ点温度が上がり、内側では下がった空気ができる。高温側空気に供給された装置と冷風側空気から持ち去られた熱量は等しいので、コントロール弁から外部へ排出する熱風の量を増やせば、内側の冷風量が少なくなり冷風温度の低下は大きくなる。つまりコールドエアガンは、冷風の温度を調整バルブ（コントロール弁）により、簡単に変えることが可能である。
【００１１】
冷風の温度と量について見ると、冷風の温度は（１）供給する圧縮空気温度、（２）供給する圧縮空気圧力、（３）冷風比率（コントロール弁により２０〜８０％の間で調整ができる。）で変化する。また、冷風の量は（１）圧縮空気圧力（風量は供給空気の絶対圧力に比例する）、（２）冷風比率（コントロール弁の調整によって、空気消費量の２０〜８０％の範囲で変化する。）で変化する。表１は、供給空気温度２１℃のときの、供給空気圧力別および冷風比率別の吐き出し空気の温度差例の一覧表である。
【００１２】
【表１】
2004219599.tif 000003
【００１３】
ただ、この装置においては、温度降下により、露点以下になると結露が発生し、場合によってはクーラ内部で凍結を起こし、冷風出口を塞いでしまうことになる。このような状態になると熱交換が停止し氷片や水滴を吹き出すことがある。冷却能力低下の原因となるため、冷凍式あるいは吸着式の除塵装置で処理された計装用空気で運転するのが望ましい。また、背圧の影響として、冷風の出口あるいは熱風の出口側に背圧（抵抗）がかかると、絶対圧力比が小さくなり、冷却能力を大幅に低下させる原因となる。例えば、供給圧力が０．６９ＭＰａで出口が大気圧の場合、絶対圧力比は８：１であるが、もし出口側に０．０９８ＭＰａの背圧がかかると、絶対圧力比は８：２と半分になり、冷風能力は大幅に低下する。また、冷風出口から冷却対象物までの距離について、クーラの冷風出口においては−１０℃以下の温度まで下がっているが、ノズルから距離が離れるにつれ、周辺空気との混合が進み、急速に温度が上昇する。このため、冷風出口から２０ｍｍ以内に対象物があることが望ましい。２０ｍｍ以内に吐出口を設置することが不可能な場合は、ゴム・樹脂の材料を利用してノズルを延長する方法を採用することができる。
【００１４】
図２に本発明のフランジ取り外し装置の一例を示す。
本態様例では低温圧縮空気の製造方法として、請求項４に示す圧縮空気（１）を圧縮空気冷却制御装置（２）（ＡＰＸ−１５Ａ−５００、オリオン機械社製）を通過させた後、ボルテックス原理を応用した超低温空気発生装置（３）（コールドエアＫ８０−６０ＳＶ、コスミック社製）を連続して通過させる方法を用いている。ここで、超低温とは−３０℃以下を云う。
圧縮空気（１）の圧力は０．７ＭＰａで、圧縮空気冷却制御装置（２）の圧縮空気の入り口と出口にはストップバルブ（４）（５）がそれぞれ設置されていて、運転時は開、停止時は閉にして圧縮空気の無駄を防ぐ。出口ストップバルブ（５）には超低温空気発生装置（３）が接続され、更にその超低温空気発生装置（３）の出口にはノズル（６）が接続されている。圧縮空気冷却制御装置（２）の圧縮空気の出口からノズル（６）までは保温材（８）で断熱処理が施されていて、低温圧縮空気の温度上昇を防止している。
圧縮空気冷却制御装置（２）で約−３５℃に冷却された圧縮空気は、超低温空気発生装置（３）を通過することにより約−６０℃に更に冷却されて、約０．５ＭＰａの圧力でノズル（６）から吹き出される。ノズル（６）の吹き出し口は図１に示すように円筒の外周部に均等な間隔に明けられた小径穴で、フランジまたは電子写真感光体とフランジの接触部分近傍を低温圧縮空気で効率よく冷却できる。小径穴の合計面積Ｓは入り口部面積Ａと同じになるように作られている。
【００１５】
図１は外径３０ｍｍの電子写真感光体（７）をノズル（６）にセッティングした状態で、フランジの端部がノズル（６）の一部に接触していて、ノズル（６）の円筒部の中心線上に電子写真感光体（７）の円筒部の中心線がある。本態様例に使用した電子写真感光体（７）はポリカーボネート系樹脂を材料にしたフランジ（９）をシアノアクリレート系接着剤でアルミニウム基体に接着したものを使用した。電子写真感光体（７）は低温圧縮空気を吹き出しているノズル（６）にセッティングされると同時にフランジと電子写真感光体とフランジの接触部分近傍が冷却されはじめて、数十秒後に接着剤が剥がれる音がする。そこで電子写真感光体（７）をノズル（６）からはずし、電子写真感光体（７）とフランジ（９）を持って引っ張ると軽く引き離れる。
【００１６】
本態様例の他に、圧縮空気（１）を圧縮空気冷却制御装置（２）だけを通過させた低温圧縮空気と圧縮空気（１）をボルテックス原理を応用した超低温空気発生装置（３）だけを通過させた低温圧縮空気の２種類についても同様に行なったところ、剥がれるまでの時間が実態様例より長くかかったが、同様の結果が得られた。
【００１７】
【発明の効果】
以上、詳細かつ具体的な説明より明らかなように、本発明により、円筒状の金属製基体からなる電子写真感光体の両端部に樹脂製フランジが接着或いは圧入またはその組み合わせによって取り付けられた電子写真感光体からフランジを高価で取り扱いが難しく危険な液状冷媒を使用することなく、低温圧縮空気で安価で簡単に且つ安全に取り外すことができる。また、、電子写真感光体のフランジ取り外しに使用する低温圧縮空気の製造方法および装置で、圧縮空気を瞬時に簡単に安価で低温圧縮空気にすることができ、また、電子写真感光体のフランジ取り外しに使用する低温圧縮空気をフランジまたは電子写真感光体とフランジの接触部分近傍に吹き付けてその部分を効果的に冷却でき、電子写真感光体からフランジを取り外す方法および装置で、低温圧縮空気を効果的に吹き付ける手段であるノズルの低温圧縮空気の入り口総面積Ａと吹き出し口総面積Ｓの関係は０．８Ａ≦Ｓ≦１．２Ａであることが望ましい。０．８Ａ＞Ｓであると吹き出し抵抗が大きくなって温度上昇や低温圧縮空気が圧力低下を引き起こして、冷却効率が低下する。また、Ｓ＞１．２Ａであると低温圧縮空気の噴射密度が低下して冷却効率が低下する。また、電子写真感光体からフランジを取り外す方法で、電子写真感光体の円筒部の中心線をノズルの円筒部の中心線と同一にして円形のフランジまたは電子写真感光体とフランジの接触部分近傍を均等に冷却し、且つ少なくとも電子写真感光体或いはフランジの一部をノズルと接触させることにより、ノズルからの伝熱による冷却効果を利用して効率よく冷却することができる。また、電子写真感光体からフランジを取り外す方法および装置で、低温圧縮空気をノズルから吹き出す前の経路に断熱処理を施すことにより、低温圧縮空気の温度上昇を防止できる。また、電子写真感光体からフランジを取り外す方法および装置で、分割された電子写真感光体とフランジはいずれも再利用部品として使用できる。
【図面の簡単な説明】
【図１】ノズルに電子写真感光体をセットした状態を示す図である。
【図２】本発明のフランジ取り外し装置の一例を示す図である。
【図３】ボルテックス原理による超低温空気発生装置の一例としてのコールドエアガンの構成図である。
【符号の説明】
１  圧縮空気
２  圧縮空気冷却制御装置
３  超低温空気発生装置
４  入り口ストップバルブ
５  出口ストップバルブ
６  ノズル
７  電子写真感光体
８  保温材
９  フランジ
【図１】
2004219599.tif 000004
【図２】
2004219599.tif 000005
【図３】
2004219599.tif 000006